(57)【要約】【課題】クリップのデザイン上の自由度が増加し、且つ、十分なクリップ挟持力を得ることができる筆記具を提供する。【解決手段】金属板よりなるクリップ２が、長手方向に延びる横断面略コ字状のクリップ本体２１と、該クリップ本体２１の後部両側面に連設された一対の取付基部２２と、該取付基部２２の端部を内方に折曲形成した一対の係合片２３とを備える。筒体３が、外面より突設された取付凸部３１と、該取付凸部３１の両側面に長手方向に凹設された一対の係合溝３２とを備える。一対の取付基部２２の内側に取付凸部３１を挿入させるとともに、一対の係合片２３を一対の係合溝３２に挿入させる。一対の取付基部２２の相互間のクリップ本体２１に窓孔２４を貫設し、窓孔２４を通して、クリップ本体２１内方に位置する取付凸部３１の頂面を視認可能に構成する。【選択図】  図１
2008273073.tif 000002
【特許請求の範囲】
【請求項１】
金属板よりなるクリップと、該クリップが取り付けられる筒体とからなり、前記クリップが、長手方向に延びる横断面略コ字状のクリップ本体と、該クリップ本体の後部両側面に連設された一対の取付基部と、該取付基部の端部を内方に折曲形成した一対の係合片とを備え、一方、前記筒体が、外面より突設された取付凸部と、該取付凸部の両側面に長手方向に凹設された一対の係合溝とを備え、前記クリップの一対の取付基部の内側に前記筒体の取付凸部を挿入させるとともに、前記取付基部の一対の係合片を前記取付凸部の一対の係合溝に挿入させた筆記具であって、前記一対の取付基部の相互間のクリップ本体に窓孔を貫設し、前記窓孔を通して、クリップ本体内方に位置する取付凸部を視認可能に構成したことを特徴とする筆記具。
【請求項２】
前記窓孔の前端が前記取付基部の前端より後方に位置してなる請求項１記載の筆記具。
【請求項３】
前記窓孔の前端と前記取付基部の前端との長手方向の距離が１ｍｍ以上に設定される請求項１または２記載の筆記具。
【請求項４】
前記筒体と前記取付凸部とを合成樹脂により一体に形成し、前記取付凸部の両側面における係合溝よりも径方向外方位置に凹部を形成した請求項１乃至３のいずれかに記載の筆記具。
【請求項５】
前記係合溝の長手方向の一端が開放され且つ前記係合溝の長手方向の他端が閉鎖され、前記凹部の長手方向の一端が前記係合溝の閉鎖側において開放され且つ前記凹部の長手方向の他端が前記係合溝の開放側において閉鎖される請求項４記載の筆記具。
【請求項６】
前記取付凸部を筆記具に内蔵のインキの色と略同色に着色した請求項１乃至５のいずれかに記載の筆記具。
【請求項７】
前記クリップ本体の前端部内面に玉部を突設し、少なくとも、前記玉部の最大高さが前記窓孔の最大内接円の直径より大きく設定される請求項１乃至６のいずれかに記載の筆記具。
【発明の詳細な説明】
【技術分野】
【０００１】
本発明は、クリップを備えた筆記具に関する。詳細には、金属板よりなるクリップと、該クリップが取り付けられる筒体（例えば、軸筒、キャップ、頭冠、尾冠等）とからなる筆記具に関する。尚、本発明において、「前」とはクリップの玉部側を指し、「後」とはクリップの取付基部側を指す。
【背景技術】
【０００２】
従来、例えば、特許文献１には、筆記具ケース体の外周部に取り付けられる保持リングと、該保持リングに取り付けられるクリップとから構成され、前記保持リングが、両側面に長手方向の溝を備えた断面方形の突出部を有し、前記クリップが、前記突出部を包囲する固定部を有し、前記固定部が前記溝に係合する折曲部を備えたクリップの構造が開示されている。
【０００３】
また、特許文献２には、クリップに折曲片を設けると共に該折曲片と対向する位置に透孔を刻設し、折曲片をキャップまたは本体の軸筒に載置し前記透孔から折曲片と軸筒をスポット溶接してなるクリップ取付装置が開示されている。また、特許文献２には、美観を高めるために、前記透孔を樹脂部品等のアクセサリー等で塞ぐことが記載されている。
【特許文献１】実開昭５１−６３４２５号明細書
【特許文献２】実開昭５９−７８９１号明細書
【発明の開示】
【発明が解決しようとする課題】
【０００４】
前記特許文献１の構造は、クリップのデザイン上の自由度が少ない。また、特許文献２の構造は、透孔を設けたことにより、クリップ本体の挟持力が低下し、十分なクリップ挟持力を得ることが困難である。
【０００５】
本発明は前記従来の問題点を解決するものであって、クリップのデザイン上の自由度が増加し、且つ、十分なクリップ挟持力を得ることができる筆記具を提供しようとするものである。
【課題を解決するための手段】
【０００６】
本願の第１の発明は、金属板よりなるクリップ２と、該クリップ２が取り付けられる筒体３とからなり、前記クリップ２が、長手方向に延びる横断面略コ字状のクリップ本体２１と、該クリップ本体２１の後部両側面に連設された一対の取付基部２２と、該取付基部２２の端部を内方に折曲形成した一対の係合片２３とを備え、一方、前記筒体３が、外面より突設された取付凸部３１と、該取付凸部３１の両側面に長手方向に凹設された一対の係合溝３２とを備え、前記クリップ２の一対の取付基部２２の内側に前記筒体３の取付凸部３１を挿入させるとともに、前記取付基部２２の一対の係合片２３を前記取付凸部３１の一対の係合溝３２に挿入させた筆記具であって、前記一対の取付基部２２の相互間のクリップ本体２１に窓孔２４を貫設し、前記窓孔２４を通して、クリップ本体２１内方に位置する取付凸部３１を視認可能に構成したことを要件とする。
【０００７】
前記第１の発明の筆記具１は、一対の取付基部２２の相互間のクリップ本体２１に窓孔２４を貫設し、前記窓孔２４を通して、クリップ本体２１内方に位置する取付凸部３１（即ち取付凸部３１の頂面３４）を視認可能に構成したことにより、前記窓孔２４を、クリップ本体２１を正面視したときのデザイン上のアクセントとすることができ、窓孔２４の形状を任意に設定することにより、クリップ２のデザイン上の自由度が増すとともに、クリップ本体２１に窓孔２４を設けたにもかかわらず、クリップ２の挟持力を低下させることなく、クリップ２の十分な挟持力を得る。
【０００８】
尚、前記筒体３は、例えば、一端にペン先を備え且つ内部にインキが収容された軸筒、筆記具のペン先側に着脱自在のキャップ、軸筒の反ペン先側端部に取り付けられる尾冠、キャップの閉鎖側端部に取り付けられる頭冠等の筆記具用部品が挙げられる。
【０００９】
本願の第２の発明は、前記第１の発明において、前記窓孔２４の前端が前記取付基部２２の前端より後方に位置してなることを要件とする。
【００１０】
前記第２の発明の筆記具１は、前記窓孔２４の前端が前記取付基部２２の前端より後方に位置してなることにより、クリップ本体２１に窓孔２４を設けたにもかかわらず、クリップ２の挟持力を低下させることを回避し、クリップ２の十分な挟持力を得る。
【００１１】
本願の第３の発明は、前記窓孔２４の前端と前記取付基部２２の前端との長手方向の距離Ｌが１ｍｍ以上（好ましくは２ｍｍ以上）に設定されることを要件とする。
【００１２】
前記第３の発明の筆記具１は、前記第１または第２の発明において、前記窓孔２４の前端と前記取付基部２２の前端との長手方向の距離Ｌが１ｍｍ以上（好ましくは２ｍｍ以上）に設定されることにより、クリップ本体２１に窓孔２４を設けたにもかかわらず、クリップ２の挟持力を低下させることを確実に回避し、クリップ２の十分な挟持力を得る。
【００１３】
本願の第４の発明は、前記第１乃至第３のいずれかの発明において、前記筒体３と前記取付凸部３１とを合成樹脂により一体に形成し、前記取付凸部３１の両側面における係合溝３２よりも径方向外方位置に凹部３３を形成したことを要件とする。
【００１４】
前記第４の発明の筆記具１は、前記取付凸部３１の両側面における係合溝３２よりも径方向外方位置に凹部３３を形成したことにより、取付凸部３１の径方向の外側端面（即ち頂面３４）に、成形時のヒケが発生することを回避できるとともに、クリップ２が取付凸部３１に取り付けられた際、凹部３３をクリップ２の取付基部２２により隠すことができ、クリップ基部の外観性が低下することがない。
【００１５】
本願の第５の発明は、前記第４の発明において、前記係合溝３２の長手方向の一端が開放され且つ前記係合溝３２の長手方向の他端が閉鎖され、前記凹部３３の長手方向の一端が前記係合溝３２の閉鎖側において開放され且つ前記凹部３３の長手方向の他端が前記係合溝３２の開放側において閉鎖されることを要件とする。
【００１６】
前記第５の発明の筆記具１は、前記係合溝３２の長手方向の一端が開放され且つ前記係合溝３２の長手方向の他端が閉鎖され、前記凹部３３の長手方向の一端が前記係合溝３２の閉鎖側において開放され且つ前記凹部３３の長手方向の他端が前記係合溝３２の開放側において閉鎖される構成により、係合片２３を係合溝３２に挿入する際、係合片２３を凹部３３に誤って挿入することを回避し、係合片２３を係合溝３２に適正に挿入できる。
【００１７】
本願の第６の発明は、前記第１乃至第５のいずれかの発明において、前記取付凸部３１を筆記具１に内蔵のインキの色と略同色に着色したことを要件とする。
【００１８】
前記第６の発明の筆記具１は、前記取付凸部３１を筆記具１に内蔵のインキの色に着色したことにより、窓孔２４を通してインキ色を識別することができ、さらに、インキ色を有する窓孔形状のアクセント模様をクリップ本体２１に設けることができ，筆記具の外観性が向上する。
【００１９】
本願の第７の発明は、前記第１乃至第６のいずれかの発明において、前記クリップ本体２１の前端部内面に玉部２５を突設し、少なくとも、前記玉部２５の最大高さＢが前記窓孔２４の最大内接円の直径Ａ１より大きく設定されることを要件とする。
【００２０】
前記第６の発明の筆記具１は、前記クリップ本体２１の前端部内面に玉部２５を突設し、少なくとも、前記玉部２５の最大高さＢが前記窓孔２４の最大内接円の直径Ａ１より大きく設定されることにより、クリップ本体２１の前端部が他のクリップ２の窓孔２４に挿入されることを回避し、クリップ２の流通過程やクリップ２の組立工程で、取付凸部３１に取り付ける前の複数個のクリップ２が集合状態にあってもクリップ２相互のからみを防止できる。尚、前記窓孔２４の最大内接円の直径Ａ１は、窓孔２４の周縁部に接する仮想内接円を描いたとき、その仮想内接円の最大の内接円の直径をいう。
【発明の効果】
【００２１】
本発明の筆記具は、クリップのデザイン上の自由度が増加し、且つ、十分なクリップ挟持力を得ることができる。
【発明を実施するための最良の形態】
【００２２】
本発明の筆記具１の実施の形態を図１乃至図８に示す。
本実施の形態の筆記具１は、軸筒を構成する筒体３と、該筒体３の後端部外周面に取り付けられるクリップ２とを備える。本実施の形態の筆記具１は、筒体３内に筆記体を前後方向に移動可能に収容し、筒体３後端より後方に突出するノック部材を前方に押圧操作することにより、前記筆記体のペン先を筒体３の前端から出没自在に構成した出没式筆記具が採用されている。
【００２３】
・筒体
前記筒体３は、いわゆる軸筒であり、円筒体からなる。前記筒体３は、前軸３Ａと、該前軸３Ａの後端に取り付けられる後軸３Ｂ（いわゆる尾冠）とを備える。前記前軸３       Ａ及び後軸３Ｂは、いずれも、合成樹脂の成形により得られる円筒状の部材である。
【００２４】
前記後軸３Ｂ（筒体）は、筆記具１内に収容されたインキ（即ち筆記体内に収容のインキ）の色と略同色に着色される。具体的には、前記後軸３Ｂ（筒体）は、インキの色と略同色に着色された合成樹脂により成形される。前記後軸３Ｂ（筒体）の外面には、取付凸部３１が一体に形成される。前記取付凸部３１は長手方向に延びる略直方体形状を有する。
【００２５】
前記取付凸部３１の両側面には、長手方向に延びる一対の係合溝３２が形成される。さらに、前記取付凸部３１の両側面において、前記係合溝３２と前記取付凸部３１の高さ方向の端部（即ち取付凸部３１の頂面３４）との間に一対の凹部３３が形成される。
【００２６】
前記係合溝３２の後端は開放され、前記係合溝３２の前端は閉鎖される。前記凹部３３の前端は開放され、前記凹部３３の後端は閉鎖される。それにより、係合溝３２の開放側から係合片２３を挿入する際、係合溝３２の開放側（即ち係合溝３２の後端）では凹部３３が開放されていないため、誤って凹部３３に係合片２３を挿入することを防止できる。
【００２７】
また、前記取付凸部３１の頂面３４は、クリップ本体２１の裏面に沿った形状を有する。それにより、クリップ本体２１の裏面と取付凸部３１の頂面３４との間の隙間を小さくでき、窓孔２４を通して視認される取付凸部３１の頂面３４を均一に視認することができる。本実施の形態では、具体的には、前記取付凸部３１の頂面３４は、後方に向うにしたがって径方向内方に向う傾斜面となっており、前記クリップ本体２１の裏面と取付凸部３１の頂面３４との間の隙間は、１．５ｍｍ以内に設定される。
【００２８】
前記クリップ２は、金属板の折り曲げ加工により得られる。前記クリップ２は、長手方向に延び且つ横断面コ字状を有するクリップ本体２１と、該クリップ本体２１の前端部内面に一体に突出形成される玉部２５と、該クリップ本体２１の後端部両側面に一体に連設された一対の取付基部２２と、該取付基部２２の端部を内方に折曲した一対の係合片２３とを備える。
【００２９】
前記クリップ２の一対の取付基部２２の内側に前記筒体３の取付凸部３１が挿入されるとともに、前記一対の係合片２３が前記取付凸部３１の両側面の一対の係合溝３２に挿入・係合される。前記係合片２３の内方端部には、鋸歯状の複数の鋭角部を備えるため、係合片２３が係合溝３２に食い付いた状態で係合される。このとき、一対の取付基部２２が取付凸部３１の両側面の全てを覆う。それにより、取付凸部３１の両側面の凹部３３を隠すことができ、クリップ基部の美観を損ねることを回避できる。
【００３０】
・窓孔
前記クリップ本体２１の、一対の取付基部２２の相互間に窓孔２４が貫設される。前記窓孔２４は、二つの円が結合した形状（略雪だるま形状）を有する。クリップ本体２１を正面視したとき、前記窓孔２４を通して取付凸部３１の頂面３４を視認でき、それと同時に窓孔２４の形状のインキ色を有するアクセント模様を視認できる。
【００３１】
本実施の形態では、前記窓孔２４の前端は、取付基部２２の前端より後方に位置する。前記窓孔２４の前端と取付基部２２の前端との長手方向の距離Ｌは４．２ｍｍに設定されている。それにより、クリップ本体２１に窓孔２４を設けたにもかかわらず、一層、クリップ２の挟持力を低下させることを回避し、クリップ２の十分な挟持力を得る。
【００３２】
本実施の形態では、前記玉部２５の最大高さＢが、３ｍｍに設定され、前記窓孔２４の最大内接円の直径Ａ１が、２．６ｍｍに設定されている。即ち、前記玉部２５の最大高さＢは、前記窓孔２４の最大内接円の直径Ａ１より大きく設定されるため、クリップ本体２１の前端が他のクリップの窓孔２４に挿入されるおそれがなく、クリップ２の流通過程またはクリップ２の組立工程で、取付凸部３１に取り付ける前の複数個のクリップ２が集合状態にあってもクリップ相互のからみを防止できる。
【００３３】
また、前記窓孔２４の最大幅（即ち最大内接円の直径Ａ１）は、取付凸部３１の頂面３４の幅Ｔ１（取付凸部３１の）両側面の距離）より小さく設定されるとともに、前記窓孔２４の最大長手寸法Ａ２ＨＡ、取付凸部３１の頂面３４の長手寸法Ｔ２より小さく設定される。それにより、窓孔２４全体を取付凸部３１によって覆うことができ、窓孔２４の形状を有するアクセント模様の見栄えが損なわれない。
【図面の簡単な説明】
【００３４】
【図１】本発明の実施の形態の筆記具の要部を示す正面図である。
【図２】図１のＸ−Ｘ線要部断面図である。
【図３】図１の側面図である。
【図４】図１の筒体の正面図である。
【図５】図４の筒体の側面図である。
【図６】図１のクリップの正面図である。
【図７】図６のクリップの背面図である。
【図８】図６のクリップの要部縦断面図である。
【符号の説明】
【００３５】
１  筆記具
２  クリップ
２１  クリップ本体
２２  取付基部
２３  係合片
２４  窓孔
２５  玉部
３  筒体
３Ａ  前軸
３Ｂ  後軸
３１  取付凸部
３２  係合溝
３３  凹部
３４  頂面
Ａ１  窓孔の最大内接円の直径
Ａ２  窓孔の最大長手寸法
Ｔ１  取付凸部の頂面の幅
Ｔ２  取付凸部の頂面の長手寸法
Ｂ  玉部の最大高さ
Ｌ  窓孔前端と取付基部前端との長手方向の距離
【図１】
2008273073.tif 000003
【図２】
2008273073.tif 000004
【図３】
2008273073.tif 000005
【図４】
2008273073.tif 000006
【図５】
2008273073.tif 000007
【図６】
2008273073.tif 000008
【図７】
2008273073.tif 000009
【図８】
2008273073.tif 000010